(57)【要約】【課題】撮影者がデジタルカメラ等の画像撮影装置による撮影画像に埋め込む文字のフォントや色などの装飾情報を任意に選択できる撮影画像装飾システム等を提供すること。【解決手段】画像撮影装置は、ユーザの操作を受け付けて撮影画像の装飾のための装飾情報を指定し、撮影画像を装飾するために必要な装飾情報を保持するサーバから装飾情報を取得し、表示装置に装飾情報により撮影画像が装飾されて得られる装飾画像を表示させるために、撮影画像と装飾情報から装飾画像を作成する。【選択図】図２
2011035789.tif 000002
【特許請求の範囲】
【請求項１】
画像撮像装置は、ユーザの操作を受け付けて撮影画像の装飾のための装飾情報を指定する手段を備え、
サーバは、前記撮影画像を装飾するために必要な装飾情報を保持する手段と、前記画像撮像装置に前記装飾情報を送る手段とを備え、
表示装置は、前記装飾情報により前記撮影画像が装飾されて得られる装飾画像を表示する手段を備え、
画像撮像装置は前記撮影画像と前記装飾情報から前記装飾画像を作成し、前記表示装置は前記装飾画像を表示することを特徴する撮影画像装飾システム。
【請求項２】
前記撮像画像は静止画像及び動画画像を含むことを特徴とする請求項１記載の撮影画像装飾システム。
【請求項３】
前記装飾情報は、文字列及びそのフォントや色を含むことを特徴とする請求項１または２記載の撮影画像装飾システム。
【請求項４】
前記装飾情報は、記号などの画像に埋め込むことができ視覚できる情報を含むことを特徴とする請求項１から３のいずれか１項に記載の撮影画像装飾システム。
【請求項５】
前記装飾画像を保存する装置をさらに備え、
前記画像撮像装置は、装飾情報を指定して作成した前記装飾画像を前記装置に送信して保存させ、
前記表示装置は前記装置から前記装飾画像を受信して表示することを特徴とする請求項１から４のいずれか１項に記載の撮影画像装飾システム。
【請求項６】
ユーザの操作を受け付けて撮影画像の装飾のための装飾情報を指定する手段と、
ネットワークを介して接続されるサーバであって前記撮影画像を装飾するために必要な装飾情報を保持するサーバから前記装飾情報を取得する手段とを備え、
表示装置に前記装飾情報により前記撮影画像が装飾されて得られる装飾画像を表示させるために、前記撮影画像と前記装飾情報から前記装飾画像を作成することを特徴する画像撮影装置。
【請求項７】
前記撮像画像は静止画像及び動画画像を含むことを特徴とする請求項６記載の画像撮影装置。
【請求項８】
前記装飾情報は、文字列及びそのフォントや色を含むことを特徴とする請求項６または７記載の画像撮影装置。
【請求項９】
前記装飾情報は、記号などの画像に埋め込むことができ視覚できる情報を含むことを特徴とする請求項６から８のいずれか１項に記載の画像撮影装置。
【請求項１０】
ユーザの操作を受け付けて撮影画像の装飾のための装飾情報を指定するステップと、
ネットワークを介して接続されるサーバであって前記撮影画像を装飾するために必要な装飾情報を保持するサーバから前記装飾情報を取得するステップと、
表示装置に前記装飾情報により前記撮影画像が装飾されて得られる装飾画像を表示させるステップとを有することを特徴する撮影画像装飾方法。
【請求項１１】
前記撮像画像は静止画像及び動画画像を含むことを特徴とする請求項１０記載の撮影画像装飾方法。
【請求項１２】
前記装飾情報は、文字列及びそのフォントや色を含むことを特徴とする請求項１０または１１記載の撮影画像装飾方法。
【請求項１３】
前記装飾情報は、記号などの画像に埋め込むことができ視覚できる情報を含むことを特徴とする請求項１０から１２のいずれか１項に記載の撮影画像装飾方法。
【発明の詳細な説明】
【技術分野】
【０００１】
本発明は、デジタルカメラ等の撮影画像に対する加工技術に関する。
【背景技術】
【０００２】
デジタルカメラとサーバ間で情報通信を行い、デジタルカメラ等の画像撮影装置の撮影画像をサーバにアップロードすることがある。
【０００３】
このとき、デジタルカメラ等の画像撮影装置の撮影画像に撮影位置情報等の追加情報を付加し、それらの情報を元に撮影画像をネットワーク上のＷｅｂサービス等で加工する技術が知られている。
【０００４】
ここで、通信手段と撮影手段と画像情報を所定のフォーマットにて電子ファイルに変換する変換手段とを有する携帯情報端末と、通信手段にて接続可能なネットワーク上に設置してなる画像情報を記憶する手段と、を有し、携帯情報端末は、画像情報の所定のメタ情報記述部分に所定の処理情報を記述する手段を有し、携帯情報端末によりネットワークを介して接続可能な手段を監視し、この手段にメタ情報が格納された画像ファイルが送信された際に、メタ情報を元に画像情報に所定の処理を行い、かつ処理結果もしくは処理過程の少なくともいずれかの情報を所定の対象者が確認可能な形態で情報を保持または提示する保持／提示手段とを備え、小型で情報処理機能が限定された携帯情報装置においても簡便かつ効果的かつユーザの要求に対して柔軟な情報処理システムを提供する技術が開示されている。（例えば、特許文献１参照）。
【発明の概要】
【発明が解決しようとする課題】
【０００５】
しかしながら、上述のシステムにはデジタルカメラ等の画像撮影装置の撮影画像の付加情報、例えば日付のように画像に埋め込むことのできる情報の場合、撮影者が自由にフォントや色を選択できないという問題があった。
【０００６】
本発明は以上の問題を解決するためのものであり、撮影者がデジタルカメラ等の画像撮影装置による撮影画像に埋め込む文字のフォントや色などの装飾情報を任意に選択できる撮影画像装飾システム、画像撮影装置および撮影画像装飾方法を提供することを目的としている。
【課題を解決するための手段】
【０００７】
請求項１に記載の発明は、画像撮像装置は、ユーザの操作を受け付けて撮影画像の装飾のための装飾情報を指定する手段を備え、サーバは、撮影画像を装飾するために必要な装飾情報を保持する手段と、画像撮像装置に装飾情報を送る手段とを備え、表示装置は、装飾情報により撮影画像が装飾されて得られる装飾画像を表示する手段を備え、画像撮像装置は撮影画像と装飾情報から装飾画像を作成し、表示装置は装飾画像を表示することを特徴する撮影画像装飾システムである。
【０００８】
請求項２に記載の発明は、請求項１記載の撮影画像装飾システムにおいて、撮像画像は静止画像及び動画画像を含むことを特徴とする。
【０００９】
請求項３に記載の発明は、請求項１または２記載の撮影画像装飾システムにおいて、装飾情報は、文字列及びそのフォントや色を含むことを特徴とする。
【００１０】
請求項４に記載の発明は、請求項１から３のいずれか１項に記載の撮影画像装飾システムにおいて、装飾情報は、記号などの画像に埋め込むことができ視覚できる情報を含むことを特徴とする。
【００１１】
請求項５に記載の発明は、請求項１から４のいずれか１項に記載の撮影画像装飾システムにおいて、装飾画像を保存する装置をさらに備え、画像撮像装置は、装飾情報を指定して作成した装飾画像を装置に送信して保存させ、表示装置は装置から装飾画像を受信して表示することを特徴とする。
【００１２】
請求項６に記載の発明は、ユーザの操作を受け付けて撮影画像の装飾のための装飾情報を指定する手段と、ネットワークを介して接続されるサーバであって撮影画像を装飾するために必要な装飾情報を保持するサーバから装飾情報を取得する手段とを備え、表示装置に装飾情報により撮影画像が装飾されて得られる装飾画像を表示させるために、撮影画像と装飾情報から装飾画像を作成することを特徴する画像撮影装置である。
【００１３】
請求項７に記載の発明は、請求項６記載の画像撮影装置において、撮像画像は静止画像及び動画画像を含むことを特徴とする。
【００１４】
請求項８に記載の発明は、請求項６または７記載の画像撮影装置において、装飾情報は、文字列及びそのフォントや色を含むことを特徴とする。
【００１５】
請求項９に記載の発明は、請求項６から８のいずれか１項に記載の画像撮影装置において、装飾情報は、記号などの画像に埋め込むことができ視覚できる情報を含むことを特徴とする。
【００１６】
請求項１０に記載の発明は、ユーザの操作を受け付けて撮影画像の装飾のための装飾情報を指定するステップと、ネットワークを介して接続されるサーバであって撮影画像を装飾するために必要な装飾情報を保持するサーバから装飾情報を取得するステップと、表示装置に装飾情報により撮影画像が装飾されて得られる装飾画像を表示させるステップとを有することを特徴する撮影画像装飾方法である。
【００１７】
請求項１１に記載の発明は、請求項１０記載の撮影画像装飾方法において、撮像画像は静止画像及び動画画像を含むことを特徴とする。
【００１８】
請求項１２に記載の発明は、請求項１０または１１記載の撮影画像装飾方法において、装飾情報は、文字列及びそのフォントや色を含むことを特徴とする。
【００１９】
請求項１３に記載の発明は、請求項１０から１２のいずれか１項に記載の撮影画像装飾方法において、装飾情報は、記号などの画像に埋め込むことができ視覚できる情報を含むことを特徴とする。
【発明の効果】
【００２０】
本発明によれば、撮影者がデジタルカメラ等の画像撮影装置による撮影画像に埋め込む文字のフォントや色などの装飾情報を任意に選択できる。
【図面の簡単な説明】
【００２１】
【図１】本発明の実施の形態に係る撮影画像装飾システムの概略構成図である。
【図２】本発明の実施の形態に係るデジタルカメラの機能ブロック図である。
【図３】本発明の実施の形態に係るデジタルカメラ１で撮影された撮影画像を装飾する処理動作を示すフローチャートである。
【図４】本発明の実施の形態に係るデジタルカメラで装飾情報を装飾情報記憶サーバから取得する処理動作を示すフローチャートである。
【図５】本発明の実施の形態に係る撮影画像の一例を示す図である。
【図６】本発明の実施の形態に係る装飾画像の一例を示す図である。
【図７】本発明の実施の形態に係る装飾情報記憶サーバがデジタルカメラからの装飾情報取得要求に返答する処理動作を示すフローチャートである。
【図８】本発明の実施の形態に係るシステム全体のタイミングチャート図である。
【発明を実施するための形態】
【００２２】
以下、本発明の実施の形態を説明する。図１は、システムの全体構成について説明する図である。
【００２３】
図１は、本発明の実施の一形態にかかる撮影画像装飾システムの概略構成図である。
画像撮影装置としてのデジタルカメラ１０１は以下の特徴がある。無線のアクセスポイント１０２と情報通信可能なインターフェイスを備え、インターネットへの接続を可能とする。デジタルカメラ上のＵＩから撮影者が撮影画像に装飾を施すことができ、その装飾情報を画像のＥｘｉｆ情報に付加することを可能とする。さらに撮影者が装飾画像を装飾画像保存サーバ１０４にアップロードすることを可能とする。
【００２４】
無線ＬＡＮのアクセスポイント１０２と、装飾情報を記憶しておくための装飾情報記憶サーバ１０３と、装飾画像をアップロードし保存しておくための装飾画像保存サーバ１０４と、デジタルカメラ１０１および装飾画像保存サーバ１０４が保持する装飾画像を表示すための表示装置１０５とから構成されている。
【００２５】
図２は、本実施の形態にかかる画像撮影装置としてのデジタルカメラ１０１の機能ブロック図である。なお、画像撮影装置としてはデジタルカメラに限らず画像を撮影する機能を有する情報処理装置を広く含む。
【００２６】
ＣＰＵ２００はデジタルカメラ１０１を制御する。
ＲＯＭ２１０には、プログラム２１１〜２１３が格納されている。
【００２７】
プログラム２１１は画像を装飾するための装飾情報を取得する機能を実現するプログラムである。このプログラムは、装飾情報が記憶された装飾情報記憶サーバ１０３から装飾情報を取得する。装飾情報取得部である。
プログラム２１２はプログラム２１１で取得した装飾情報を撮影画像のＥｘｉｆ情報に付加するためのプログラムである。装飾情報挿入部である。
プログラム２１３はプログラム２１２でＥｘｉｆ情報に付加された装飾情報を元に撮影画像に装飾を施す処理を行うためのプログラムである。装飾画像作成部である。本プログラムにて、撮影画像に撮影者の選択したフォント・色の文字列など埋め込んでしまうことにより、処理後は装飾画像として一つの画像データとして扱うことができるため、任意の画像表示装置で表示しても撮影者が作成した装飾画像をそのまま表示することが可能になる。すなわちデジタルカメラ１０１以外の他の表示装置でも撮影者の作成した通りの装飾画像を表示することが可能となる。
【００２８】
フラッシュメモリ２２０には、デジタルカメラ１０１の設定情報など格納されている。
ＳＤＲＡＭ２３０は、ＲＯＭ２１０に格納されているプログラムが実行される領域である。
【００２９】
通信インターフェイス２４０は、装飾情報が記憶された装飾情報記憶サーバ１０３との情報通信を行う際に使用する。
無線ＬＡＮインターフェイス２４１は、無線ＬＡＮアクセスポイント１０２と接続するためのインターフェイスである。
【００３０】
ユーザインターフェイス２５０は、デジタルカメラ１０１の操作に必要なユーザインターフェイスである。撮影者は、ボタン２５１〜２５３（シャッターボタン２５１、モードダイヤル２５２、メニューボタン２５３）を利用して、撮影画像に装飾を施す作業を行う。
【００３１】
ＳＤメモリカード２６０は撮影画像ファイル２６１及び撮影画像のＥｘｉｆ情報に装飾情報を付加した装飾画像ファイル２６２を保存するために使われる。
【００３２】
上記以外のデジタルカメラ１０１の機能部２９０がさらにある。
【００３３】
図３は、本実施の形態おけるデジタルカメラ１０１で撮影された撮影画像を装飾する処理動作を示すフローチャートである。
【００３４】
まず、撮影者のデジタルカメラ１０１のユーザインターフェイス２５０を介した、電源投入、再生モード選択、さらに装飾したい撮影画像を選択する操作を受け付ける（Ｓ３０１〜Ｓ３０３）。撮像画像は静止画像及び動画画像を含む。
【００３５】
撮影者のデジタルカメラ１０１のユーザインターフェイス２５０を介した、撮影画像に装飾を施す操作を受け付ける（Ｓ３０４）。このステップの詳細は後に図４を参照して説明する。
【００３６】
プログラム２１２を実行し、ステップＳ３０４によって得られた装飾情報をＥｘｉｆヘッダに追加する（Ｓ３０５）。
【００３７】
プログラム２１３を実行し、ステップＳ３０５で得られたＥｘｉｆヘッダを元にＥｘｉｆ情報に付加された装飾情報を撮影画像に埋め込む（Ｓ３０６）。
【００３８】
デジタルカメラ１０１が作成した装飾画像をＳＤメモリカード２６０に保存する（Ｓ３０７）。
【００３９】
図４は、本実施の形態おけるデジタルカメラ１０１で装飾情報を装飾情報記憶サーバ１０３から取得する処理動作を示すフローチャートである。
【００４０】
まず、デジタルカメラ１０１で装飾情報を取得するにはネットワーク上の装飾情報を記憶した装飾情報記憶サーバ１０３と通信できる必要があるため、接続できるまで繰り返す（Ｓ４０１）。
【００４１】
撮影者のデジタルカメラ１０１のユーザインターフェイス２５０のボタン２５１〜２５３を介した、撮影画像（例えば図５の様なもの）に埋め込む文字列６０２や記号６０１（記号として「太陽」の文字列を選択する）等の装飾を選択し、撮影画像上の埋め込む任意の位置を指定することにより装飾を行い装飾画像（例えば図６の様なもの）を作成する操作を受け付ける（Ｓ４０２）。なお、デジタルカメラ１０１の内部で行うことのみならず、外部の装置で装飾画像の作成を行うことが可能である。
【００４２】
終了するまでステップＳ４０２を繰り返す（Ｓ４０３）。
【００４３】
撮影者による装飾作業が終了したら、装飾情報記憶サーバ１０３からデジタルカメラ１０１に必要な装飾情報をダウンロードする（Ｓ４０４）。例えば、文字のフォントや色などの装飾情報や、記号として「太陽」の文字列を選択した場合、図６の様な「太陽」のイラストデータを必要な装飾情報としてダウンロードする。このステップの詳細は後に図７を参照して説明する。
【００４４】
図７は、本実施の形態おける装飾情報記憶サーバ１０３がデジタルカメラ１０１からの装飾情報取得要求に返答する処理動作を示すフローチャートである。
【００４５】
まず、装飾情報記憶サーバ１０３を起動する（Ｓ７０１）。
【００４６】
装飾情報記憶サーバ１０３は起動後、デジタルカメラ１０１からの装飾情報取得の要求が来るのを待ち受ける（Ｓ７０２）。
【００４７】
装飾情報記憶サーバ１０３はデジタルカメラ１０１から要求された装飾情報をデジタルカメラ１０１に送信する（Ｓ７０３）。
【００４８】
図８は、本実施の形態おけるシステム全体のタイミングチャート図である。
装飾画像保存サーバ１０４及び表示装置１０５は既に世の中に存在しているＷｅｂサービスや機器などを利用するため既に起動済みであるという前提のもと説明をする。
【００４９】
まず、デジタルカメラ１０１は撮影者によって電源が入れられると起動する（Ｓ８０１）。
撮影者は、デジタルカメラ１０１のモードを再生モードにする(Ｓ８０２)。
そして、撮影者は装飾したい撮影画像を再生モード中の撮影画像から選択する（Ｓ８０３）。
【００５０】
このとき、装飾情報記憶サーバ１０３も起動する（Ｓ８２１）。装飾情報記憶サーバ１０３は基本的に一度起動した後は止まらずに機能し続けるものとする。装飾情報記憶サーバ１０３は起動後、デジタルカメラ１０１からの装飾情報の取得要求を待ち受ける（Ｓ８２２）。
【００５１】
デジタルカメラ１０１で装飾情報を取得するにはネットワーク上の装飾情報を記憶した装飾情報記憶サーバ１０３と通信できる必要があるため、接続できるまで繰り返す(Ｓ８０４、Ｓ８０５)。
【００５２】
撮影者によって画像の装飾作業が開始されると（Ｓ８０６）、デジタルカメラ１０１は装飾情報記憶サーバ１０３に対して装飾情報の取得を要求し、必要な装飾情報をダウンロードする(Ｓ８０７、Ｓ８０８)。
【００５３】
デジタルカメラ１０１はプログラム２１２を実行し、ダウンロードされた装飾情報からＥｘｉｆヘッダを生成する(Ｓ８０９)。
【００５４】
デジタルカメラ１０１はＥｘｉｆヘッダの装飾情報を元に装飾のためのデータを撮影画像に埋め込む(Ｓ８１０)。
【００５５】
デジタルカメラ１０１は装飾画像をＳＤメモリカード２６０に保存する(Ｓ８１１)。
【００５６】
そして、デジタルカメラ１０１が装飾画像保存サーバ１０４に装飾画像をアップロードすると(Ｓ８１２、Ｓ８１３)、表示装置からの装飾画像保存サーバ１０４に対する画像取得要求により、アップロードされた装飾画像は装飾画像保存サーバ１０４から表示装置１０５に送信され表示装置１０５に表示され(Ｓ８１４、Ｓ８１５)、閲覧することができる(Ｓ８１６)。
【００５７】
上記の本実施の形態によれば、撮影画像をＰＣやＴＶなどの表示装置で表示する際に、撮影者が作成した通りの画像を表示できる。
【００５８】
撮影者が、デジタルカメラ上のＵＩからフォントや色等の装飾情報を選択し、選択した装飾情報をデジタルカメラの撮影画像のＥｘｉｆ情報に付加する機能を追加したため、装飾した後の撮影画像をデジタルカメラ以外の表示装置でもデジタルカメラで表示した時と同じ画像を表示できるようになるので撮影者が意図した通りの画像を表示装置で表示することが可能となる。
【００５９】
また、装飾するための情報や装飾時のみに必要な情報を保持するためのサーバを用意し、サーバとデジタルカメラが情報通信を行う機能とサーバからダウンロードした装飾情報を撮影画像のＥｘｉｆ情報に付加する機能を追加することにより、デジタルカメラ上のＵＩからサーバ上に用意された装飾情報を利用できるため、デジタルカメラ本体には必要最小限の情報のみを持たせればよいので情報容量を気にすることなく装飾方法の種類を豊富に用意することが可能となる。さらに常に最新の装飾情報の利用が可能となる。
【００６０】
なお、上述する各実施の形態は、本発明の好適な実施の形態であり、本発明の要旨を逸脱しない範囲内において種々の変更実施が可能である。各装置の機能が他の装置によりまとめて実現されたり、追加の装置により機能が分散されて実現される形態も本発明の範囲内である。
【先行技術文献】
【特許文献】
【００６１】
【特許文献１】特開２００６−１９５９２３号公報
【図１】
2011035789.tif 000003
【図２】
2011035789.tif 000004
【図３】
2011035789.tif 000005
【図４】
2011035789.tif 000006
【図５】
2011035789.tif 000007
【図６】
2011035789.tif 000008
【図７】
2011035789.tif 000009
【図８】
2011035789.tif 000010